(57)【特許請求の範囲】
【請求項１】
薬液容器と、該容器の一端を密封するとともにエアゾール缶を取着した充填用キャップと、該充填用キャップに装着された弁部材と、容器の他端に取着された注入ノズルとを備えた樹木用薬液注入器具であって、
前記充填用キャップは、エアゾール缶のガイド用リングと、内周にネジを形成した螺着筒とからなる外周壁と、中央部にステム係合筒を配設し、その下方に弁部材の嵌合筒を配設した隔壁とを具備しており、
弁部材は、前記嵌合筒に嵌着され、逆流防止用のスリーブを外周に装着した弁座筒を具備していることを特徴とする樹木用薬液注入器具。
【請求項２】
弁部材は、弁座筒を覆い、前記スリーブの妄動を阻止する弁押えを具備していることを特徴とする請求項１記載の樹木用薬液注入器具。
【請求項３】
エアゾール缶は、噴射剤として液化ガスが封入されていることを特徴とする請求項１記載の樹木用薬液注入器具。
【発明の詳細な説明】
【０００１】
【発明の属する技術分野】
本発明は、樹病防除用薬液の注入器具、とくにエアゾール缶から導入される圧力ガスにより薬液容器内を一定圧とし、薬液を松樹その他の樹木に注入するようにした樹病防除用薬液注入器具に関する。
【０００２】
【従来の技術】
松樹その他樹木に病害虫防除用の薬液等を注入する薬液注入装置において、薬液容器に圧力調節器を介してガスボンベ、カートリッジ等を取着し、一定圧の圧縮ガスを外部から容器内に導入し、薬液容器から一定圧に加圧された薬液を樹木に注入する薬液注入装置は、例えば実開平６−６０３２９号公報、特公平７−７５４９１号公報に示されているように従来より知られている。
【０００３】
また、注入薬液の加圧にエアゾール缶を用い、該エアゾール缶を薬液容器内に封入し、容器の上方にエアゾール缶のステム操作部材を設け、操作部材を操作することによって、エアゾール缶のガスを容器内に噴出させて容器内を一定圧に保ち、薬液を注出するようにした薬液注入装置は、例えば特公平４−１１１６９号公報、特開平９−２９９０１２号公報に示されているように従来より知られている。
【０００４】
【発明が解決しようとする課題】
しかしながら、前者のガスボンベ、カートリッジから圧縮ガスを薬液容器に導入する装置は、そのガスボンベ、カートリッジには、８〜１１ｋｇｆ／ｃｍ2 という高圧の圧縮ガスが封入されているため、薬液容器への導入にあたって、減圧弁機構を必要とし、該減圧弁機構は、薬液容器と一体成形したハウジング内に、ピストン部材、調圧部材などを内蔵させており、その構造が複雑で部品も多くなるという問題があり、組立も簡単ではなく製造コストも高くなった。
また、薬液容器と注入筒、注入ノズルは、別体となっており、薬液容器の樹木への取付を始め、薬液注入時の取扱いは簡単にはできなかった。
【０００５】
また、後者のエアゾール缶封入式の薬液容器は、容器口部内とキャップにエアゾール缶の取付装置と操作部材を取着するようにしており、操作部材をはじめ、エアゾール缶の取付機構の構造が複雑であるという問題点があった。
【０００６】
本発明は、上記の問題点を解決することを課題とし、先端に注入ノズルを取着した薬液容器を樹木中に嵌挿し、エアゾール缶を用いて、一定圧の加圧ガスを薬液容器内に噴射することにより、必要な薬液を一定圧に加圧し、樹木内に注入できるようにした構造が簡単で、かつ取扱いが容易な薬液注入器具を提供することを目的とする。
【０００７】
【課題を解決するための手段】
本発明は、上記の課題を達成するため、樹木用薬液注入器具として、薬液容器と、該容器の一端を密封するとともにエアゾール缶を取着した充填用キャップと、該充填用キャップに装着された弁部材と、容器の他端に取着された注入ノズルとを備えた樹木用薬液注入器具であって、前記充填用キャップは、エアゾール缶のガイド用リングと、内周にネジを形成した螺着筒とからなる外周壁と、中央部にステム係合筒を配設し、その下方に弁部材の嵌合筒を配設した隔壁とを具備しており、弁部材は、前記嵌合筒に嵌着され、逆流防止用のスリーブを外周に装着した弁座筒を具備していることを特徴とする樹木用薬液注入器具。
【０００８】
また、上記構成に付加して弁部材には、前記の弁座筒を覆い、スリーブの妄動を阻止する弁押えを具備していることを特徴とする構成を採用する。
【０００９】
さらにまた、エアゾール缶は、噴射剤として液化ガスが封入されていることを特徴とする構成を採用する。
【００１０】
【発明の実施の形態】
次に、本発明の実施形態について、図面を参照して説明する。
図１において、Ａは薬液容器、Ｂは薬液容器Ａの上端に取着され、弁部材Ｂ１を装着した充填用キャップ、Ｃは薬液容器Ａの下端に取着された注入ノズル、Ｄはエアゾール缶である。
【００１１】
図１，２に示すように、薬液容器Ａは、その上端に設けられた充填口筒部１と、円筒部と円錐部とからなる胴部２と、下端に設けられたノズル取付口筒部３とからなっている。
充填口筒部１は、縮径された口唇部４を有し、充填口筒部１外周には、ネジ５と突出リング６が形成されており、突出リング６と胴部２との間に、対称位置に充填用キャップＢの位置決め用の縦リブ７が設けられている。
ノズル取付口筒部３は、その外周にネジ８が形成されており、端部内周には、拡径された係合面９が形成されている。
【００１２】
図３に示すように、充填用キャップＢは、外筒壁１０と隔壁１１とからなっており、外筒壁１０周面にはローレットが刻設されている。
外筒壁１０の隔壁１１より上部分は、エアゾール缶Ｄのセットのためのガイド用リング１２となっており、下部分は、薬液容器Ａの充填口筒部１に対する螺着筒１３となっている。
【００１３】
ガイド用リング１２の内周下端と隔壁１１との間には、等間隔をおいて複数の補強リブ１４が設けられており、螺着筒１３内周には、充填口筒部１外周のネジ５に螺合するネジ１５が刻設され、ネジ部上方内周には、膨出環１６が形成されている。
【００１４】
隔壁１１は、螺着筒１３の天面となる環状の上壁１７と、該上壁１７の内周縁から垂設された内周壁１８と、該内周壁１８の下端から内方に連設された環状の下壁１９とからなっている。
下壁１９の中央は開口となっており、開口の周りには開口周縁に沿ってステム係合筒２０が立設され、該ステム係合筒２０内周と開口周縁との間に環状の係止面２１が形成されている。
【００１５】
開口周縁には、弁部材Ｂ１の嵌合筒２２が垂設され、その内周面は開口周縁に連続する噴出孔２３となっている。
嵌合筒２２の外側には、一定の間隔をおいて、下壁１９下面より外筒２４が垂設されており、嵌合筒２２と外筒２４によって弁部材Ｂ１の保持部が形成されている。
【００１６】
図４に示すように、弁部材Ｂ１は、逆止弁、すなわち逆流防止用のスリーブ３１を装着した弁主体３０と弁押え３２とからなっている。
弁主体３０は、側壁に弁孔３３を穿設した有底の弁座筒３４と、その上端から所定の位置で外方に突出する環状板３５とを有しており、弁座筒３４の上端部３４ａは、充填用キャップＢの嵌合筒２２外周に締め代をもって嵌着されるようになっている。
環状板３５の外周縁から上方に弁押え３２を保持するため、保持部の外筒２４に沿って下壁１９下面に達するように延びる嵌合筒３６が立設されており、嵌合筒３６上端には、内フランジ３７が連設され、該内フランジ３７から隔壁１１の内周壁１８の外周に沿って、隔壁１１の上壁１７下面に達するよう筒体３８が立設され、該筒体３８の上端から外フランジ３９が隔壁１１の上壁１７下面に接するように連設されている。
【００１７】
前記スリーブ３１は、シリコンゴム等によって形成されており、弁座筒３４に嵌挿され、弁孔３３を閉鎖するようにしている。
スリーブ３１は、弁座筒３４内外の圧力差によって開閉され、弁座筒３４の内圧が高くなったときには、その径が膨張し、加圧ガスの流動によって弁座筒３４の表面から外れることがある。
それを阻止するために弁押え３２が用いられる。
【００１８】
弁押え３２は、筒体４０と、該筒体４０の下端に連接する環状の係止板４１と、該筒体４０より縮径された有底筒状の被蓋４２とを有しており、円周方向に一定の間隔をおいて係止板４１と被蓋４２とを通じる複数の連通孔４３が設けられている。
筒体４０の上端部４０ａは、前弁主体３０の嵌合筒３６外周に一定の締め代をもって嵌合されている。
【００１９】
筒体４０の上端部４０ａ近くには、傾斜フランジ４４が突設され、該傾斜フランジ４４の周縁から弁主体３０の筒体３８の外周に沿うよう内筒４５が立設されている。
内筒４５の上端には、弁主体３０の外フランジ３９に接するように外フランジ４６が連設され、外フランジ４６の周縁から外筒４７が垂設されている。
内筒４５外周の所定個所には、膨出環が設けられ、内筒４５と外筒４７の間で環状の板状パッキン４８が保持されている。
【００２０】
図１に示すように、注入ノズルＣは、ノズル５０を立設した上壁５１と、側壁５２とからなり、側壁５２の内周には、ノズル取付口筒部３のネジ８に螺合するネジ５３が刻設されており、上壁５１内面には、ノズル取付口筒部３の内周の係合面９に一定の締め代をもって係合する密封リング５４が立設されている。
【００２１】
エアゾール缶Ｄは、周知のように、缶本体６０を密封するマウンティンキャップ６１の内側にエアゾールバルブが取着され、ステム６２を押圧することによって、加圧ガスがステム６２の内孔より噴射される。
噴射剤として液化ガスが用いられており、エアゾール缶Ｄの内部圧は、内容物がなくなるまで２〜３ｋｇ／ｃｍ2 の範囲で設定された所定圧力に保たれ、薬液容器Ａ内には同圧力の圧力ガスが噴射導入される。
【００２２】
エアゾール缶Ｄの外径は、ガイド用リング１２の内径にほぼ等しいもので、ステム６２の外径は、ステム係合筒２０に係合締着されるようになっている。
エアゾール缶Ｄのセットにあたっては、まずエアゾール缶Ｄがガイド用リング１２に遊嵌され、そのステム６２は前記ステム係合筒２０に締着するようにセットされる。
【００２３】
次に、本発明器具の使用態様と作用効果について説明する。
本発明の薬液注入器具は、注入ノズルＣの先端を密閉して薬液を収容し、一端を充填用キャップＢで被嵌した薬液容器Ａと、それとは別個にされたエアゾール缶Ｄとからなっている。
使用にあたって、注入ノズルＣの先端の密閉を解き、図５に示すように、薬液注入器具の注入ノズルＣを樹木Ｔに穿孔した薬液注入孔ｈに嵌挿し、充填用キャップＢのガイド用リング１２の端部をハンマーで叩いて、ノズル５０の先端が注入孔ｈの孔底に圧接されるよう嵌挿する。
【００２４】
次いで、ガイド用リング１２内周に沿って、エアゾール缶Ｄを充填用キャップＢ内に嵌挿し、エアゾール缶Ｄを押しつけると、ステム６２がステム係合筒２０に嵌合するようセットされる。
【００２５】
次いで、エアゾール缶Ｄを押圧すると、ステム係合筒２０下端の係止面２１でステム６２の先端が押圧されてエアゾールバルブが開かれ、加圧ガスが弁座筒３４内に噴出され、弁孔３３を通じてスリーブ３１を開き、連通孔４３より薬液容器Ａ内に導入される。
【００２６】
エアゾール缶Ｄは、噴射剤として液化ガスが用いられ、その内圧は２〜３ｋｇ／ｃｍ2 の範囲の所定圧力が設定されているから、液化ガスのすべてが気化され噴射剤がなくなるまで常に一定の内部圧力が保たれており、その圧力が薬液容器Ａ内の内部圧となり、薬液に付加される。
【００２７】
エアゾール缶Ｄを取り外したときには、薬液容器Ａ内の内圧によってスリーブ３１が復元され、弁孔３３が閉鎖され、薬液容器Ａ内の圧力はそのまま維持され、すべての薬液が注入されることになる。
【００２８】
前記実施形態では、弁主体３０に弁押え３２を被せるようにしているが、スリーブ３１根元部を挟持部材を用いてスリーブ３１を挟持締着するようにしてもよく、その場合弁押え３２は不要となる。
その際、弁主体３０の外フランジ３９の周縁に外筒を垂設して、板状パッキン４８を保持するようにする。
【００２９】
【発明の効果】
本発明は、上記のように構成されているから、次の効果を奏する。
注入ノズルを取着した薬液容器を、弁主体を装着した充填用キャップで被嵌するようにしているから、構造が簡単で容易に製造でき、取扱いもエアゾール缶をセットするだけで簡単である。
【００３０】
噴射剤として液化噴射剤を内容物としたエアゾール缶を使用して、圧縮ガスを薬液容器内に導入するようにしているから、エアゾール缶のステムをセットするだけで、一定圧の圧縮ガスの導入が迅速に行われる。
短時間の導入で、薬液容器内の全薬液を樹木に注入することができるだけの加圧ができ、エアゾール缶一本で数個所に取り付けた薬液容器に噴射剤を充填することができる。
【図面の簡単な説明】
【図１】本発明の薬液注入器具の一部断面正面図である。
【図２】薬液注入容器の一部断面正面図である。
【図３】充填キャップの説明図で、（ａ）は上面図、（ｂ）は一部断面正面図である。
【図４】弁部材の説明図で、（ａ）は断面正面図、（ｂ）は底面図である。
【図５】薬液注入器具の使用状態の説明図である。
【符号の説明】
Ａ      薬液容器
Ｂ      充填用キャップ
Ｂ１    弁部材
Ｃ      注入ノズル
Ｄ      エアゾール缶
Ｔ      樹木
ｈ      薬液注入孔
１      充填口筒部
２      胴部
３      ノズル取付口筒部
１０    外筒壁
１１    隔壁
１２    ガイド用リング
１３    螺着筒
１４    補強リブ
１７    上壁
１８    内周壁
１９    下壁
２０    ステム係合筒
２１    係止面
２２    嵌合筒
２３    噴出孔
３０    弁主体
３１    スリーブ
３２    弁押え
３３    弁孔
３４    弁座筒
４０    筒体
４３    連通孔
４８    板状パッキン
５０    ノズル
６２    ステム
【図１】
0003642964.tif 000002
【図２】
0003642964.tif 000003
【図３】
0003642964.tif 000004
【図４】
0003642964.tif 000005
【図５】
0003642964.tif 000006